(57)【要約】【課題】滑車を装置等に取り付けたまま、または滑車を取り外した付近（現地）において、容易にゴムライナーを滑車へ装着することができる滑車のゴムライナー装着治具を提供すること。【解決手段】滑車１０外周のリム部１６にゴムライナー１８を装着する治具であって、治具は、端部にゴムライナー１８を押圧するローラー２８を回転自在に備えたレバー２１と、レバー２１の両側面に固着してローラー２８側へ延出するフック２５と、フック２５の先端部に着脱可能に備えて滑車１０のリム部１６に掛合するストッパー３１とを備えた。【選択図】図７
2018017291.tif 000002
【特許請求の範囲】
【請求項１】
滑車外周のリム部にゴムライナーを装着する治具であって、該治具は、端部に前記ゴムライナーを押圧するローラーを回転自在に備えたレバーと、該レバーの両側面に固着して前記ローラー側へ延出するフックと、該フックの先端部に着脱可能に備えて前記リム部に掛合するストッパーと、を備えたことを特徴とする滑車のゴムライナー装着治具。
【請求項２】
前記レバーと前記フックとの間にスペーサーを備えたことを特徴とする請求項１に記載の滑車のゴムライナー装着治具。
【発明の詳細な説明】
【技術分野】
【０００１】
本発明は、索道や鋼索鉄道等に備えた滑車の周縁部にゴムライナーを装着するときに使用する、滑車のゴムライナー装着治具に関する。
【背景技術】
【０００２】
索道や鋼索鉄道は、停留場間に索条を張り渡し、この索条に搬器や車両を連結して索条を駆動することにより輸送を行う設備である。索道や鋼索鉄道においては、線路中に直径が２００〜５００ｍｍ程度の比較的小径の受索輪を配置して索条を支承し、停留場には直径が２０００〜６５００ｍｍ程度の大型の滑車を配置して、索条を誘導、転向、駆動している。
【０００３】
一般的に受索輪や滑車の外周部には、索条の保護や索条が接触することによって発生する振動や騒音の軽減、また索条を駆動する滑車にあっては摩擦係数の増大を目的としてゴムライナーを備えている。小径である受索輪は、一般的にはリング状に形成したゴムライナーを受索輪の輪芯に外嵌するように構成される。一方、大型である滑車は、外周部に所定の形状で溝を形成し、ここへ溝の形状と合致するブロック状に形成されたブロックライナーを多数個挿入するか、または、溝の形状と合致し滑車の外周長さと同一の長さの一本のゴムライナーを挿入して構成され、現在は後者の一本のゴムライナーを用いる構成が主流である（例えば、特許文献１参照）。
【先行技術文献】
【特許文献】
【０００４】
【特許文献１】実公昭５７−４４１３７号公報
【発明の概要】
【発明が解決しようとする課題】
【０００５】
上記の受索輪および滑車のゴムライナーは、設備の運行により索条と接触、離脱を繰り返すものであり、経年の使用により摩耗が進行し、これが限界に達すると交換する必要がある。この場合、受索輪は小型であることにより、取り外しや運搬およびゴムライナーの交換は比較的容易であるものの、大型である滑車は取り外しや運搬が大がかりであり、ゴムライナーを交換するために工場等に搬入する場合には多額の費用が発生してしまう。
【０００６】
本発明は、このような事情に鑑みてなされたものであって、滑車を装置等に取り付けたまま、または滑車を取り外した付近（現地）において、容易にゴムライナーを滑車へ装着することができる滑車のゴムライナー装着治具を提供することを目的とする。
【課題を解決するための手段】
【０００７】
この課題に対応して本発明は、滑車外周のリム部にゴムライナーを装着する治具であって、該治具は、端部に前記ゴムライナーを押圧するローラーを回転自在に備えたレバーと、該レバーの両側面に固着して前記ローラー側へ延出するフックと、該フックの先端部に着脱可能に備えて前記リム部に掛合するストッパーと、を備えたことを特徴としている。
【発明の効果】
【０００８】
本発明によれば、現地において滑車へのゴムライナーの装着を容易に行うことができ、また各種の滑車におけるリム部の形状にも対応することができる。
【図面の簡単な説明】
【０００９】
【図１】滑車の正面図
【図２】図１におけるＡ−Ａ矢視断面図
【図３】リム部の拡大断面図
【図４】ゴムライナー装着治具の正面図
【図５】図４におけるＡ−Ａ矢視断面図
【図６】使用時におけるゴムライナー装着治具の正面図
【図７】使用時におけるゴムライナー装着治具の側面図
【発明を実施するための形態】
【００１０】
以下、本発明の具体的な実施の形態を図面を参照して説明する。図１は、滑車の正面図であり、図２は、図１におけるＡ−Ａ矢視断面図である。滑車１０は、ボス部１１に内挿したベアリング１２を介して回転自在に滑車軸１３に支持されており、滑車軸１３は、両端部を軸受１４に嵌挿して固定されている。ボス部１１の外周には、円盤状の鋼板部１５が形成されており、この鋼板部１５の外周にリム部１６を形成している。
【００１１】
図３は、リム部１６の拡大断面図である。リム部１６には、外周方向へ凹状に開口する溝１７が形成されている。溝１７は、溝底面から外周方向へ向けて側面が徐々に広がる等脚台形の形状をしており、この等脚台形形状の上底面に相当する部分で水平方向内側へ若干折返し、次いで、両側面が垂直に平行して外周方向へ延びて開口した後、再び両側面が外周へ向けて広がるように傾斜して開口する形状となっている。この溝１７の等脚台形形状部には、ゴムライナー１８が嵌挿されている。ゴムライナー１８は、断面形状が溝１７の等脚台形形状と同一形状であって、この等脚台形形状の周長さと合致するように長尺状に形成されており、外周中央位置に形成した円弧状溝で索条１９を支承する。
【００１２】
図４は、上記ゴムライナー１８を滑車１０へ装着するためのゴムライナー装着治具の正面図であり、図５は、図４におけるＡ−Ａ矢視断面図である。ゴムライナー装着治具２０は、レバー２１と、第１スペーサー２３と、第２スペーサー２４と、フック２５とを備えている。レバー２１は、板状の部材を長尺状に形成されたものであって、図４において、レバー２１の下側が幅広であって上側に向かって徐々に幅が狭まる形状をしている。レバー２１の上側端部は、丸棒形状に延出して形成されており、また、下端部には孔２６が穿孔されており、ここにピン２７を嵌挿して固着している。ピン２７の両端部には、ローラー２８を回転自在に備えており、本実施形態ではローラー２８としてボールベアリングを採用している。
【００１３】
レバー２１の下部には、正面視において矩形状に両側面から突出して突出部２２を形成しており、この突出部２２は直線状に３カ所の孔が穿孔されている。突出部２２の両側方には、突出部２２と同様の矩形であって厚さの異なる第１スペーサー２３および第２スペーサー２４が配置され、さらに第２スペーサー２４の外側にフック２５を配置している。これら第１スペーサー２３、第２スペーサー２４及びフック２５には、前記突出部２２の孔と同様に３カ所の孔が形成されており、これらの孔にそれぞれボルト２９を挿通し第１スペーサー２３、第２スペーサー２４及びフック２５がレバー２１に締着固定されている。
【００１４】
フック２５は、板状の部材を長尺状に形成されたものであって、上部側を前記したように第１スペーサー２３及び第２スペーサー２４を介してレバー２１に締着固定されており、フック２５の下端部はレバー２１の下端よりも下方に位置している。フック２５の下端部には、板厚を厚くしてボス部３０が形成されるとともに雌ねじが螺刻されており、ここにストッパー３１が螺合している。ストッパー３１は、ボルトを切削加工したものであって、前記ボス部３０の雌ねじに相当する部分のねじを残して先端部を円柱状に形成されている。
【００１５】
次ぎに、ゴムライナー装着治具２０の使用方法を説明する。図６は使用時におけるゴムライナー装着治具２０の正面図、図７は使用時におけるゴムライナー装着治具２０の側面図である。まず、ゴムライナー装着治具２０のフック２５をストッパー３１を取り付けない状態で滑車１０のリム部１６に外嵌し、この後、ストッパー３１をフック２５の外側から装着する。これにより、ストッパー３１がリム部１６の下面と掛合可能な状態になる。
【００１６】
次ぎに、ゴムライナー装着治具２０移動させて、ローラー２８が未挿入部分のゴムライナー１８に当接し、かつ、ストッパー３１がリム部１６の下面に当接した状態にする。この状態からレバー２１に力を加えて矢印Ｂ方向へレバー２１を回動させると、ローラー２８がゴムライナー１８の上面を転がりながらこれを押圧し、溝１７内にゴムライナー１８が装着される。このときにローラー２８は、ゴムライナー１８の左右両端部を均一に押圧するので、ゴムライナー１８が歪んだり変形することなく溝１７内に装着できる。
【００１７】
以上の動作を順次、滑車１０の外周に沿って行うことにより、ゴムライナー１８は滑車１０の外周に装着される。なお、滑車１０は、リム部１６の厚みが相違するものが種々存在するが、第１スペーサー２３及び第２スペーサー２４の厚みや枚数を変更することにより各種の滑車１０に対応することができる。
【符号の説明】
【００１８】
１０  滑車
１１  ボス部
１２  ベアリング
１３  滑車軸
１４  軸受
１５  鋼板部
１６  リム部
１７  溝
１８  ゴムライナー
１９  索条
２０  ゴムライナー装着治具
２１  レバー
２２  突出部
２３  第１スペーサー
２４  第２スペーサー
２５  フック
２６  孔
２７  ピン
２８  ローラー
２９  ボルト
３０  ボス部
３１  ストッパー
Ｂ  矢印
【図１】
2018017291.tif 000003
【図２】
2018017291.tif 000004
【図３】
2018017291.tif 000005
【図４】
2018017291.tif 000006
【図５】
2018017291.tif 000007
【図６】
2018017291.tif 000008
【図７】
2018017291.tif 000009